(57)【要約】周波数変換信号のためのミキサの少なくとも三つのグループ（１乃至４、５乃至８、９乃至１２、及び３０）を有する３相ミキサシステム（基本的考え）が、不平衡からもたらされる発振器信号の高調波を備えるあるミキシング積（洞察）を抑圧するための平衡手段（１３乃至２１及び３１）を備える。前記ミキサの三つのグループ（１乃至４、５乃至８、及び９乃至１２）は各々、スイッチングトランジスタのグループ（１乃至３、５乃至７、及び９乃至１１）と前記スイッチングトランジスタのグループ（１乃至３、５乃至７、及び９乃至１１）に結合される増幅トランジスタ（４、８、及び１２）とを有し、ミキサのグループ（１乃至４、５乃至８、及び９乃至１２）毎及び前記スイッチングトランジスタのグループ（１乃至３、５乃至７、及び９乃至１１）の少なくとも一つのスイッチングトランジスタ毎に、更なるスイッチングトランジスタ（１３乃至３１）を有する前記平衡手段（１３乃至２１）によって平衡させられる。前記ミキサの三つのグループ（３０）も前記ミキサの更なるグループ（３１）によって平衡させられることが可能であり、前記ミキサのグループ（３０）は第二の信号（Ｒ、Ｓ、及びＴ）と第一の信号（r RF、s RF、及びt RF）とを受信し、前記ミキサの更なるグループ（３１）は、反転された第二の信号（−Ｒ、−Ｓ、及び−Ｔ）と前記第一の信号（r RF、s RF、及びt RF）（の反転された組み合わせ、又は反転されない組み合わせ）とを受信し、前記ミキサのグループ（３０）の出力部と、前記ミキサの更なるグループ（３１）の出力部とは、出力信号の組み合わせ（和又は差）を生成するために互いに結合される。
2006513665.tif 000002
【特許請求の範囲】
【請求項１】
周波数変換信号のためにミキサの少なくとも三つのグループを有する３相ミキサシステムであって、前記３相ミキサシステムの少なくとも一部を平衡させるための平衡手段を有する３相ミキサシステム。
【請求項２】
前記ミキサの少なくとも三つのグループが、第一の信号を受信するための少なくとも三つの第一の入力部と、第二の信号を受信するための少なくとも三つの第二の入力部とを有し、前記平衡手段は、反転された第一の信号又は第二の信号を受信するための少なくとも三つの第三の入力部を有する請求項１に記載の３相ミキサシステム。
【請求項３】
前記ミキサの各々のグループが、スイッチングトランジスタの少なくとも一つのグループに結合される少なくとも一つの増幅トランジスタを有し、前記平衡手段は、前記ミキサのグループ毎及び前記スイッチングトランジスタのグループの少なくとも一つのスイッチングトランジスタ毎に少なくとも一つの更なるスイッチングトランジスタを有し、前記スイッチングトランジスタのグループは前記第二の信号を介して制御され、前記更なるスイッチングトランジスタは、反転された第二の信号を介して制御される請求項２に記載の３相ミキサシステム。
【請求項４】
前記ミキサのグループ毎に前記少なくとも一つの増幅トランジスタは第一の信号を介して制御されると共に、基準源に結合される第一の主電極と、前記スイッチングトランジスタ及び前記更なるスイッチングトランジスタの第一の主電極に結合される第二の主電極とを有し、前記トランジスタのグループの前記少なくとも一つのスイッチングトランジスタの第二の主電極は前記３相ミキサシステムの出力部に結合され、前記少なくとも一つの更なるスイッチングトランジスタの第二の主電極は少なくとも一つの他の出力部に結合される請求項３に記載の３相ミキサシステム。
【請求項５】
前記平衡手段がミキサの更なるグループを有する請求項２に記載の３相ミキサシステム。
【請求項６】
前記平衡手段は、反転された第四の信号を受信するための少なくとも三つの第四の入力部を有し、各々の第四の信号が第一の信号の一つの対の組み合わせになるか、又は前記第一の信号を受信するための少なくとも三つの第五の入力部を有し、前記第三の入力部が、反転された第二の信号を受信する請求項５に記載の３相ミキサシステム。
【請求項７】
前記ミキサのグループ及び前記ミキサの更なるグループの出力部は、出力信号の組み合わせを生成するために結合される請求項６に記載の３相ミキサシステム。
【請求項８】
周波数変換信号のためのミキサの少なくとも三つのグループを有する３相ミキサシステムを有し、前記３相ミキサシステムが、前記３相ミキサシステムの少なくとも一部を平衡させるための平衡手段を有し、前記３相ミキサシステムの第一の入力部又は第二の入力部に結合される少なくとも一つの多相フィルタを有する装置。
【請求項９】
前記３相ミキサシステムの出力部に結合される少なくとも一つの更なるフィルタを有する請求項８に記載の装置。
【請求項１０】
３相ミキシングを介した周波数変換信号のための方法であって、前記３相ミキシングの少なくとも一部を平衡させるステップを有する方法。      
【発明の詳細な説明】
【技術分野】
【０００１】
本発明は、周波数変換信号（frequency translating signal）のためにミキサ（混合器）の少なくとも三つのグループを有する３相ミキサシステム（three-phase mixer-system）に関する。
【０００２】
本発明は更に、周波数変換信号のためにミキサの少なくとも三つのグループを有する３相ミキサシステムを有する装置に関し、
３相ミキシングを介した周波数変換信号のための方法にも関する。  
【背景技術】
【０００３】
このような３相ミキサシステムは例えば、周波数のアップコンバージョン（up-conversion）（この場合、前記装置は例えば送信器の一部を形成する）、又はダウンコンバージョン（down-conversion）（この場合、前記装置は例えば受信器の一部を形成する）の何れかを行う。例えば前記装置は、例えばモバイル電話、モデム、若しくはトランシーバ等のような電気通信装置であってもよく、例えばラジオ等のようなオーディオ受信器、又は例えばテレビジョン等のようなオーディオ／ビデオ受信器であってもよい。
【０００４】
従来技術の３相ミキサシステムが、同じ出願人によって出願され、欧州特許第EP 02080247.6号公報によって参照される非公開欧州特許出願に開示されている。
【０００５】
当該従来技術の３相ミキサシステムはとりわけ、前記３相ミキサシステムの出力信号における（例えば発振器信号（の高調波）の）ミキシング積（mixing product）を防止及び／又は抑圧（抑制）するための多層フィルタ（polyphase filter）及び／又はバンドパス（帯域）フィルタ（bandpass filter）がもたらされるべき装置を必要としている。  
【発明の開示】
【発明が解決しようとする課題】
【０００６】
本発明の目的はとりわけ、あまり多層フィルタリング及び／又はバンドパスフィルタリングを必要としない上記の３相ミキサシステムをもたらすことにある。
【０００７】
本発明の更なる目的はとりわけ、あまり複雑及び／又は高価なフィルタを有さない上記の装置をもたらすと共に、あまり多層フィルタリング及び／又はバンドパスフィルタリングを必要としない上記の方法をもたらすことにある。      
【課題を解決するための手段】
【０００８】
本発明による３相ミキサシステムは、周波数変換信号のためのミキサの少なくとも三つのグループを有しており、前記３相ミキサシステムは前記３相ミキサシステムの少なくとも一部を平衡させるための平衡（バランシング）手段（balancing means）を有している。
【０００９】
前記平衡手段を導入することによって、前記３相ミキサシステムの少なくとも一部はより正確に平衡させられ、これによりあまり所望されないミキシング積を有さない３相ミキサシステムの出力信号がもたらされるであろう。
【００１０】
それからあまり所望されないミキシング積が前記出力信号にもたらされる場合、少なくともあまり厳格でない（あまり複雑でなく、及び／又はあまり電力を消費せず、及び／又はあまり高価でない）フィルタリング及び／又はある高調波に対して完全な無フィルタリング（no filtering at all）が必要とされるであろう。
【００１１】
本発明による３相ミキサシステムの第一の実施例が請求項２によって規定される。
【００１２】
前記第一の信号は例えば受信されるか、又は送信されるべき三つの信号を有しており、各々は他の二つに対して位相１２０度でシフト（shift）される。前記第二の信号は例えば三つの発振器信号を有しており、各々は他の二つに対して位相１２０度でシフトされる。反転（第一及び第二の）信号を平衡手段に供給することによって、出力信号において偶数の高調波が消滅し、第三の高調波が、コモンモード抑圧（阻止）によって容易に抑圧され得るコモンモードの形態で現われ、第五の高調波が、多層フィルタリングによって容易に抑圧され得る負の周波数（negative frequency）の形態で現われ、第七の高調波が、従来フィルタリングによって容易に抑圧され得る正の周波数（positive frequency）の形態で現われる。
【００１３】
本発明による３相ミキサシステムの第二の実施例が請求項３によって規定される。
【００１４】
前記平衡手段がミキサのグループ毎及び前記スイッチングトランジスタのグループの少なくとも一つのスイッチングトランジスタ毎に少なくとも一つの更なるスイッチングトランジスタを有し、更なるスイッチングトランジスタは（例えばベース又はゲートのような自身の制御電極において）反転された第二の信号を介して制御される場合、（例えばベース又はゲートのような自身の制御電極において）前記第二の信号を介して制御されるスイッチングトランジスタのグループを通じて、及び少なくとも前記スイッチングトランジスタのグループに結合される少なくとも一つの増幅トランジスタを通じてミキサの各々のグループを生成することによって、３３．３％のデューティサイクルを有する前記従来技術の３相ミキサシステムと比較すると、本発明による３相ミキサシステムは、６相の第二の信号を使用し、５０％デューティサイクルを有し、更に平衡させられる（３相信号自体は既に平衡させられているが、５０％デューティサイクルにより、スイッチングトランジスタにおける発振器信号の偶数高調波とのミキシング積の生成が回避される）。５０％デューティサイクルの更なる利点は、可能な限り最も高いミキサ効率及び改善された雑音指数（noise figure）にある。
【００１５】
本発明による３相ミキサシステムの第三の実施例が請求項４によって規定される。
【００１６】
増幅トランジスタが（例えばベース又はゲートのような自身の制御電極において）前記第一の信号を介して制御され、第一の主電極が例えばエミッタ又はソースであり、第二の主電極が例えばコレクタ又はドレインである場合、当該第三の実施例は低い複雑性、低電力、低コスト、集積容易な実施例となる。好ましくは前記スイッチングトランジスタのグループにおける各々の少なくとも一つのスイッチングトランジスタは二つの平行なスイッチングトランジスタを有し、各々の少なくとも一つの更なるスイッチングトランジスタは、制御電極が互いに結合され、第一の主電極が互いに結合され、第二の主電極が異なる他の出力部に結合される二つのスイッチングトランジスタを有し、各々の少なくとも一つの増幅トランジスタは、制御電極が互いに結合され、第一の主電極が互いに結合される三つの増幅トランジスタを有する。
【００１７】
本発明による３相ミキサシステムの第四の実施例が請求項５によって規定される。
【００１８】
前記ミキサの更なるグループを通じて前記平衡手段を生成することによって、ミキサの両方のグループは共に３相ミキサシステムをより正確に（よく）平衡させる。
【００１９】
本発明による３相ミキサシステムの第五の実施例が請求項６によって規定される。
【００２０】
第一の信号の反転された組み合わせ（結合部）（inverted combination）を受信する前記平衡手段の場合、第一の信号の対の各々の組み合わせは例えば二つの第一の信号の和（sum)を有する。前記第一の信号を受信する前記平衡手段の場合、組み合わせはもたらされる必要がない。
【００２１】
本発明による３相ミキサシステムの第六の実施例が請求項７によって規定される。
【００２２】
前記３相ミキサシステムが例えば、（第一の信号の反転された組み合わせを受信する前記平衡手段の場合）例えば出力信号の対を加算すると共に例えば出力信号の当該対の和のような組み合わせを生成するための加算器（adder）のような結合器（combiner）を更に有するか、又は（前記第一の信号を受信する前記平衡手段の場合）例えば出力信号の対を減算すると共に例えば出力信号の当該対の差のような組み合わせを生成するための減算器（subtracter）のような結合器（combiner）を更に有する場合、当該第六の実施例は低い複雑性、低電力、低コスト、集積容易な実施例となる。６（６相）の第二の信号のうちの３相を受信する前記ミキサの第一のグループが使用されると共に前記６相の第二の信号のうちの他の３相を受信する前記ミキサの更なるグループが使用される一方、前記３３．３％デューティサイクルによってもたらされる前記偶数高調波は前記出力信号の前記加算又は減算によって打ち消される（キャンセルされる）であろう。
【００２３】
好ましくは（前記更なるトランジスタの形態での）前記（第一の）平衡手段と（前記ミキサの更なるグループの形態での）前記（第二の）平衡手段とは最適な第七の実施例を得るために結合される。
【００２４】
本発明による装置は、周波数変換信号のためのミキサの少なくとも三つのグループを有しており、前記３相ミキサシステムは前記３相ミキサシステムの少なくとも一部を平衡させるための平衡手段を有しており、前記装置は、前記３相ミキサシステムの第一又は第二の入力部に結合される少なくとも一つの多相フィルタを有している。
【００２５】
前記少なくとも一つの多相フィルタは、第一の入力信号及び／又は第二の入力信号をフィルタリングすると共に３相ミキサシステムの入力部に供給されるべき副信号の各々の対の間に１２０度の位相差を備える三つの副（サブ）信号（sub-signal）に当該入力信号を変換するであろう。前記第一の入力信号はオーディオ／ビデオ／データ信号を有していてもよいと共に前記第二の入力信号は発振信号を有していてもよく、又はその逆であってもよい。
【００２６】
本発明による装置の第一の実施例が請求項９によって規定される。
【００２７】
前記３相ミキサシステムの出力部に結合される前記少なくとも一つの更なるフィルタは、他の二つに対して各々が位相１２０度でシフトされている三つの出力信号を一つの出力信号に変換すると共に、（所望の信号が正の周波数を有すると仮定される場合）所望されない負の周波数ミキシング積（これは例えば第二の信号の第五の高調波とのミキシング積について当てはまる）をフィルタリングするための一つ又はそれより多くの更なる多相フィルタを有していてもよく、及び／又は（例えば第七高調波のような）正の高調波をフィルタリングするための一つ又はそれより多くのバンドパスフィルタ若しくはローパスフィルタ（lowpass filter）を有していてもよい。
【００２８】
本発明による装置及び本発明による方法の実施例は本発明による３相ミキサシステムの実施例に対応する。
【００２９】
本発明はとりわけ不平衡（unbalance）により発振器信号の高調波とのミキシング積がもたらされるという洞察に基づいていると共にとりわけ平衡手段を導入することによって前記不平衡が低減又は回避さえされ得るという基本的な考えに基づいている。
【００３０】
本発明はとりわけより少ない多相フィルタリング及び／又はバンドパスフィルタリングしか必要としない３相ミキサシステムをもたらすことに関する問題を解決し、とりわけあまり複雑でなく、及び／又はあまり高価でなく、及び／又はあまり電力を消費しないフィルタしか必要とされないという点で有利になり、３相ミキサシステムが低コストであると共になお低消費電力を有し、より小さなチップ面及び／又はより少ないチップ面しか必要としない。
【００３１】
前記洞察については以下のようになる。多相（発振器）正弦波信号成分（コンポーネント）（第二の信号）の一つとの、多相入力信号成分（第一の信号）の一つの積に対して、ミキサ出力部において出力信号は両方の和周波数（sum-frequency）及び和位相（sum-phase）を備える多相成分になるであろう。３相入力信号（第一の信号）及び３相発振器信号（第二の信号）の場合、九つのミキシング積が三つの可能な異なる位相値のみ（３６０度の倍数は無視される）で後続し、それ故に再び３相信号に結合され得るであろう。発振器端子（ターミナル）（通常ベース又はゲート接続部）において発振器高調波がほぼもたらされ、その各々は両方とも高調波数（harmonic number）で乗算（掛け算）される基本発振器（fundamental oscillator）周波数及び位相と等しくなる周波数及び位相を有する。その結果、全ての発振器端子においてｎ相発振器のｎ番目の高調波は同じ位相を有するであろう。このことはコモンモードを意味する。このため（打ち消しが３相平衡に基づいている場合）加算点（summation point）における打ち消しだけでなくミキサにおけるｎ番目の高調波コモンモード阻止（除去（rejection））により、当該周波数において非常に低いミキサゲイン（利得）がもたらされるであろう。反対符号の発振器信号が適用されるがミキサ構造体の複製によって、発振器信号の第二の高調波を備えるミキシング積の打ち消しは、両方の対応するミキサ出力信号を減算することにより同様に打ち消され得る。反対符号発振器信号の第二の高調波は等しくなり、それ故に２相（又は差動信号）平衡による打ち消しがもたらされるため、この結果は得られる。
【００３２】
本発明のこれら及び他の態様は、以下に記載された実施例から明らかであり、これらの実施例を参照して説明される。      
【発明を実施するための最良の形態】
【００３３】
図１に示されている３相ミキサシステムは、第一の信号r RFを受信する三つのミキサ５０乃至５２と、第一の信号s RFを受信する三つのミキサ５３乃至５５と、第一の信号t RFを受信する三つのミキサ５６乃至５８とを有する。ミキサ５０、５３、及び５６は第二の信号Rを受信し、ミキサ５１、５４、及び５７は第二の信号Sを受信し、ミキサ５２、５５、及び５８は第二の信号Tを受信する。三つの各結合器６０／６１／６２は各ミキサ５０、５３、及び５６と、５１、５４、及び５７と、５２、５５、及び５８との出力信号を各出力信号r IFとs IFとt IFとに結合させる。
【００３４】
図２に示されている３相ミキサシステムは、（例えば３相発振信号等のような）第二の信号R、S、及びTを（例えば３相無線周波数（高周波）信号等のような）第一の信号r RF、s RF、及びt RFで乗算することによる周波数変換信号のためのミキサ１乃至４と５乃至８と９乃至１２との少なくとも三つのグループを有すると共に、前記ミキサ１乃至４と５乃至８と９乃至１２との前記三つのグループを平衡させるための平衡手段１３乃至２１を有する。前記ミキサの第一（第二、第三）のグループはスイッチングトランジスタ１乃至３（５乃至７、９乃至１１）のグループと、少なくとも前記スイッチングトランジスタ１乃至３（５乃至７、９乃至１１）のグループに結合される増幅トランジスタ４（８、１２）とを有している。平衡手段１３乃至１５（１６乃至１８、１９乃至２１）は、増幅トランジスタ４（８、１２）にも結合される更なるスイッチングトランジスタ１３乃至１５（１６乃至１８、１９乃至２１）を有している。
【００３５】
前記少なくとも一つの増幅トランジスタ４（８、１２）は自身の制御電極において第一の信号r RF（s RF、t RF）を受信すると共に、例えばグランド等のような基準源に結合される第一の主電極と、スイッチングトランジスタ１乃至３（５乃至７、９乃至１１）及び更なるスイッチングトランジスタ１３乃至１５（１６乃至１８、１９乃至２１）の第一の主電極に結合される第二の主電極とを有する。それに対して前記少なくとも一つの増幅トランジスタ４（８、１２）の何れかは、各々が前記スイッチングトランジスタ１乃至３（５乃至７、９乃至１１）の一つ及び前記更なるスイッチングトランジスタ１３乃至１５（１６乃至１８、１９乃至２１）の一つに結合される三つの第二の主電極を有する。そうでなければ、前記少なくとも一つの増幅トランジスタ４（８、１２）は、制御電極が互いに結合される三つの増幅トランジスタ及び第一の主電極が互いに結合される三つの増幅トランジスタを有する。
【００３６】
スイッチングトランジスタ１（５、９）の第二の主電極は、抵抗器２２（２３、２４）を介して電圧源に結合されると共に、出力信号r IF（s IF、t IF）を生成するための第一（第二、第三）の出力部を形成する。スイッチングトランジスタ７＋１０（２＋１１、３＋６）の第二の主電極は、出力信号r IF（s IF、t IF）を生成するための前記第一（第二、第三）の出力部に結合される。更なるスイッチングトランジスタ１３乃至１５（１６乃至１８、１９乃至２１）の何れかは二つの第二の主電極を各々有するか、又は制御電極が互いに結合される二つのスイッチングトランジスタ及び第一の主電極が互いに結合される二つのスイッチングトランジスタを各々有する。スイッチングトランジスタ１３（１４、１５）の両方の第二の主電極は前記第二及び第三（第一及び第三、第一及び第二）の出力部に結合される。スイッチングトランジスタ１６（１７、１８）の両方の第二の主電極は前記第一及び第三（第一及び第二、第二及び第三）の出力部に結合される。スイッチングトランジスタ１９（２０、２１）の両方の第二の主電極は前記第一及び第二（第二及び第三、第一及び第三）の出力部に結合される。
【００３７】
対称性のために、スイッチングトランジスタ１乃至３、５乃至７、及び９乃至１１は好ましくは二つの並列トランジスタを各々有する（並列とは同じ種類の電極が互いに結合されることを意味する）。
【００３８】
スイッチングトランジスタ１、５、及び９は自身の制御電極でR信号を受信し、スイッチングトランジスタ２、６、及び１０は自身の制御電極でS信号を受信し、スイッチングトランジスタ３、７、及び１１は自身の制御電極でT信号を受信し、更なるスイッチングトランジスタ１３、１６、及び１９は自身の制御電極で-R信号を受信し、更なるスイッチングトランジスタ１４、１７、及び２０は自身の制御電極で-S信号を受信し、更なるスイッチングトランジスタ１５、１８、及び２１は自身の制御電極で-T信号を受信する。正弦波信号の場合（前と同様に非線形／クリッピング）、-R=S+Tとなり、-S=R+Tとなり、-T=R+Sとなることは注意されるべきである。
【００３９】
前記トランジスタは各々、ベース又はゲートにそれぞれ対応する制御電極を備え、エミッタ又はソースにそれぞれ対応する第一の主電極を備え、コレクタ又はソースにそれぞれ対応する第二の主電極を備えるバイポーラトランジスタ又はＦＥＴであってもよい。
【００４０】
信号R、S、及びTは、それらの各々の対の間で１２０度位相差を有し、例えば各々は同じ発振周波数を有する。第一の信号r RF、s RF、及びt RFは、それらの各々の対の間で１２０度位相差を有し、各々は例えば同じキャリア周波数を有する。信号の位相及び／又は瞬時の電圧（瞬間電圧（momentary voltage））に依存して、それらの（発振及びキャリア）周波数の和及び／又はそれらの（発振及びキャリア）周波数の間の差が３相ミキサシステムの出力部に現われるであろう。増幅トランジスタ４、８、及び１２は線形特性を示すであろう。スイッチングトランジスタ１乃至３、５乃至７、及び９乃至１１と、更なるスイッチングトランジスタ１３乃至２１とは信号R、S、及びTと-R、-S、及び-Tとの振幅に依存してスイッチオン・オフさせられ、それらの主電流は前記増幅トランジスタ４、８、及び１２によって決定される。
【００４１】
前記ミキサ１乃至４と５乃至８と９乃至１２との三つのグループを平衡させるための前記平衡手段１３乃至２１を導入することによって、前記３相ミキサシステムの（とりわけ前記ミキサのグループになる）少なくとも一部は、抑圧される発振器信号の偶数高調波とのミキシング積に対してより正確に平衡させられる。ミキサトランジスタ（前記スイッチングトランジスタ１乃至３、５乃至７、及び９乃至１１のグループ）が（他の二つの各々のセットが非導通になる間、導通する１乃至３のセット、５乃至７のセット、及び９乃至１１のセットの一つのみのために）３３．３％デューティサイクルを生成する前記従来技術３相ミキサシステムと比較して、本発明による３相ミキサシステムにおけるミキサトランジスタ（前記スイッチングトランジスタ１乃至３、５乃至７、及び９乃至１１のグループ並びに前記更なるスイッチングトランジスタ１３乃至２１）は共に（反対の信号によって制御される生成対を有するために）５０％のデューティサイクルを生成し、更に平衡させられる。５０％デューティサイクルの更なる利点は、可能な限り最も高いミキサ効率及び改善された雑音指数（noise figure）にある。
【００４２】
図３に示されている３相ミキサシステムは、（例えば３相発振信号等のような）第二の信号R、S、及びTを（例えば３相無線周波数信号等のような）第一の信号r RF、s RF、及びt RFで乗算することによって周波数変換信号のためのミキサ３０の少なくとも三つのグループを有すると共に、前記ミキサ３０の三つのグループを平衡させるための平衡手段３１を有する。それに対して前記平衡手段はミキサ３１の三つの更なるグループを有する。
【００４３】
前記ミキサ３０のグループ及び前記ミキサ３１の更なるグループは各々、従来実施例又は図２に示されている実施例に対応する。前記ミキサ３０のグループは（自身の第一の入力部で）第一の信号r RF、s RF、及びt RFを受信し、（自身の第二の入力部で）第二の信号R、S、及びTを受信する。前記ミキサ３１のグループは、（自身の第四の入力部で）s RF + t RFを加算器３２から反転して受信し、r RF + t RFを加算器３３から反転して受信し、r RF + s RFを加算器３４から反転して受信し、（自身の第三の入力部で）反転された第二の信号-R、-S、及び-Tを受信する。ミキサ３０のグループの各出力部及びミキサ３１の更なるグループの各出力部は、３相ミキサシステムの出力部で出力信号r IF、s IF、及びt IFを生成する各加算器３５乃至３７の入力部に結合される。代わりに前記ミキサ３１グループが（自身の第五の入力部で）第一の信号r RF、s RF、及びt RFを受信してもよく、（自身の第三の入力部で）反転された第二の信号-R、-S、及び-Tを受信してもよく、ミキサの両方のグループの出力部は減算器３５乃至３７を介して結合される。
【００４４】
前記ミキサ３０のグループを平衡させるための前記平衡手段３１を導入することによって、前記３相ミキサシステムの（とりわけ３相ミキサシステムにおける少なくともいくつかの信号経路になる）少なくとも一部は、より正確に平衡させられる。６（６相）の第二の信号のうちの３相を受信する前記ミキサ３０の第一のグループが使用されると共に前記６（６相）の第二の信号のうちの他の３相を受信する前記ミキサ３１の更なるグループが使用される一方、前記３３．３％デューティサイクルによってもたらされる前記偶数高調波は前記出力信号の前記加算又は減算によって打ち消されるであろう。
【００４５】
本発明による装置は、例えばモバイル電話、モデム、若しくはトランシーバ等のような電気通信装置であってもよく、又は例えばラジオ等のようなオーディオ受信器、例えばテレビジョン等のようなオーディオ／ビデオ受信器であってもよく、本発明による３相ミキサシステムと、前記３相ミキサシステムの入力部に結合される少なくとも一つの多相フィルタとを有している（これらの入力部は前記第二の信号、前記第一の信号、前記反転若しくは逆信号、及び／又は前記第一の信号の対の和を受信する）。    
【００４６】
このような３相ミキサシステムは例えば、周波数のアップコンバージョン（この場合、前記装置は例えば送信器の一部を形成する）、又はダウンコンバージョン（この場合、前記装置は例えば受信器の一部を形成する）の何れかを行う。それ故に図１、２、及び３において、例えば前記r RF、s RF、及びt RFと、r IF、s IF、及びt IFとは場所を交換してもよく、他の３相副信号によって置換されてもよい。当然のことながら反転信号を受信する入力部は、非反転信号を受信する更なる入力部に対応し、前記更なる入力部と前記入力部との間にインバータは位置される。
【００４７】
例えば“変換するための”、“平衡させるための” 、及び“制御するための”等における“ための（ｆｏｒ）”という表現は、同時に、又はそうでなく、他の機能も行われることを排除するものではない。“Ｙに結合されるＸ”、“ＸとＹとの間のカップリング”
、及び“カップリング／結合部Ｘ及びＹ”等の表現は、要素ＺがＸとＹとの間にもたらされることを排除するものではない。“ＰがＱを有する”、及び“Ｑを有するＰ”等の表現は、要素Ｒが有する／含まれることを排除するものでもない。単語“ａ”及び“ａｎ”は一つ又はそれより多くの複数性の可能な存在を排除するものではない。
【００４８】
本発明はとりわけ不平衡により発振器信号の高調波とのミキシング積がもたらされるという洞察に基づいていると共にとりわけ平衡手段を導入することによって前記不平衡が低減又は回避さえされ得るという基本的な考えに基づいている。
【００４９】
本発明はとりわけあまり多相フィルタリング及び／又はバンドパスフィルタリングを必要としない３相ミキサシステムをもたらすことに関する問題を解決し、とりわけ複雑で、及び／又は高価で、及び／又は電力を消費するフィルタがあまり必要とされず、３相ミキサシステムが低コストであると共になお低消費電力を有し、より小さなチップ表面及び／又はより少ないチップ表面しか必要とされないという点で有利になる。
【図面の簡単な説明】
【００５０】
【図１】３相ミキシング原理を示すために３相ミキサシステムを示している。
【図２】第一の平衡手段を有する本発明による３相ミキサシステムを示している。
【図３】第二の平衡手段を有する本発明による３相ミキサシステムを示している。
【図１】
2006513665.tif 000003
【図２】
2006513665.tif 000004
【図３】
2006513665.tif 000005
【国際調査報告】
2006513665.tif 000006
2006513665.tif 000007
2006513665.tif 000008